(57)【要約】      （修正有）【課題】容器のスクイズにより簡単に内容物が漏れ出ることがなく構造の簡素化された塗布容器を提供する。【解決手段】先端部に塗布体１ｂ、後端に収納空間ｔを有するカバー体１と、口部を先に収納空間への設置を可能とする容器本体２とを備え、前記収納空間に、容器本体を塗布体の背面に向けて極僅かに押圧、移動させて内容物を流出、該塗布体に含浸させる弁体３を設け、該弁体は、塗布体の背面に開口する通路３ａを有しカバー体の収納空間の奥底で固定保持されるベース３ｂと、このベースに弾性部材３ｃを介して摺動自在に嵌合しその後端部を容器本体の口部に接続させたスライダー３ｄからなり、該ベース及びスライダーの少なくとも一方に、弾性部材の反発力に抗するスライダーの摺動にてベースの通路に開通させて容器本体内の内容物を塗布体に向けて流出させる連通路４を設ける。【選択図】図１
2005335748.tif 000002
【特許請求の範囲】
【請求項１】
先端部にて塗布体を保持し後端の開口に至るまでの領域を収納空間とするカバー体と、口部を先にして該カバー体の開口から該塗布体の背面に向けて差し込んで該収納空間への設置を可能とする容器本体とを備え、
前記収納空間に、容器本体そのものを塗布体の背面に向けて極僅かに押圧、移動させて容器本体内の内容物を口部を経て流出、該塗布体に含浸させる弁体を設け、
該弁体は、塗布体の背面に向けて開口する通路を有しカバー体の収納空間の奥底で固定保持されるベースと、このベースに弾性部材を介して摺動自在に嵌合しその後端部を容器本体の口部に接続させたスライダーからなり、
該ベース及びスライダーの少なくとも一方に、弾性部材の反発力に抗するスライダーの摺動にてベースの通路に開通させて容器本体内の内容物を塗布体に向けて流出させる連通路を設けたことを特徴とする塗布容器。
【請求項２】
連通路が、ベースの側壁に設けられた貫通孔である請求項１記載の塗布容器。
【請求項３】
連通路が、ベース及びスライダーの双方の側壁に設けられた少なくとも一本の溝である請求項１記載の塗布容器。
【発明の詳細な説明】
【技術分野】
【０００１】
本発明は、粘度の低い液体、とくに浸透性の高い液体を必要に応じて適量注出、塗布するのに好適な塗布容器に関するものである。
【背景技術】
【０００２】
薬液や乳液等の化粧料を入れる液体用の容器は、容器の胴体部分をスクイズすることによって注出するものが普通であるが、粘度の低い液体、とくに浸透性の高い液体を内容物としてそれを少量塗布する用途に使用される、例えば、消毒液や治療薬を入れる容器では、その注出に際して内容物が必要以上に出てしまったり、あるいは胴体部分の不用意な押圧によって内容物が漏れ出てしまう不利がある。
【０００３】
上記のような不具合を解消した容器としては、尾端の押釦を指先で押し込み、そのたびに少量ずつ先端の筆に液状物を供給する仕組みのものが提案されている（例えば、特許文献１参照）。
【０００４】
【特許文献１】実公平７−７８５７号公報
【０００５】
しかしながら、上記の従来型の容器は、眉墨や口紅等の化粧料の分野において適用されるものを前提としており、構成部材が多いうえ構造も複雑であり、比較的安価な構成が要求される薬液等を入れる容器には適さない。
【発明の開示】
【発明が解決しようとする課題】
【０００６】
本発明の課題は、内容物を使用する分だけ確実に注出できる構造の簡素化された新規な塗布容器を提案するところにある。
【課題を解決するための手段】
【０００７】
本発明は、先端部にて塗布体を保持し後端の開口に至るまでの領域を収納空間とするカバー体と、口部を先にして該カバー体の開口から該塗布体の背面に向けて差し込んで該収納空間への設置を可能とする容器本体とを備え、
前記収納空間に、容器本体そのものを塗布体の背面に向けて極僅かに押圧、移動させて容器本体内の内容物を流出、該塗布体に含浸させる弁体を設け、
該弁体は、塗布体の背面に向けて開口する通路を有しカバー体の収納空間の奥底で固定保持されるベースと、このベースに弾性部材を介して摺動自在に嵌合しその後端部を容器本体の口部に接続させたスライダーからなり、
該ベース及びスライダーの少なくとも一方に、弾性部材の反発力に抗するスライダーの摺動にてベースの通路に開通させて容器本体内の内容物を塗布体に向けて流出させる連通路を設けたことを特徴とする塗布容器である。
【０００８】
上記の構成になる塗布容器において、連通路は、ベースの側壁に設けられた貫通孔あるいは、ベース及びスライダーの双方の側壁に設けられた少なくとも一本の溝にて構成することができる。
【発明の効果】
【０００９】
カバー体の内側に差し込んだ容器本体をカバー体の先端に向けて押圧（ノック）すると弁体を構成するスライダーがベースにおいて摺動し、このとき容器本体内の内容物がベースの通路を通って塗布体へ向けて流出することになり、容器本体の押圧をやめると弾性部材の反発力でもって弁体のスライダーはすぐさま初期位置に復帰して該通路が閉塞される。
【発明を実施するための最良の形態】
【００１０】
以下、図面を用いて本発明をより具体的に説明する。
図１は本発明にしたがう塗布容器の実施の形態を示したものである。図における１はカバー体である。このカバー体１は先端にストッパー１ａを介して筆状の塗布体１ｂ（液体を含浸させて塗布できるもの）を保持しており、後端の開口１ｃに至るまでの領域を収納空間ｔとし、後端の側壁の一部を切り欠いた形状としている。
【００１１】
また、２は薬液等の内容物を収納する容器本体である。この容器本体２は口部２ａを先にしてカバー体１の開口１ｃから塗布体１ｂの背面に向けて差し込むことで収納空間ｔに設置される。
【００１２】
また、３はカバー体１の内部で容器本体２と塗布体１ｂの相互間に配置される弁体である。この弁体３は塗布体１ｂの背面に向けて開口する通路３ａを有しカバー体１の収納空間ｔの奥底で固定保持されるベース３ｂと、このベース３ｂの環状体の外側で弾性部材３ｃを介して摺動自在に嵌合しその後端部を容器本体２の口部２ｂに接続させたスライダー３ｄ、４はベース３ｂに設けた例で示した連通路、そして、５はカバー体１の先端に着脱自在可能で塗布体１ｂを収納するキャップである。
【００１３】
上記の構成になる塗布容器は、使用前（あるいは流通時）においては連通路４がスライダー３ｄによって閉塞されており、容器本体２はカバー体１によって保護されているため胴体部分の不用意な押圧によって容器本体２内の内容物が塗布体１ｂに流出することがないが、図２に示すように容器本体２そのものを塗布体１ｂの背面に向けて極わずかに押圧、移動させると、スライダー３ｄが弾性部材３ｃの反発力に抗して摺動し、この時、連通路４が開放され容器本体２内の内容物がベース３ｂの通路３ａを通って流出、塗布体１ｂに含浸されることとなり内容物の塗布が可能となる。
【００１４】
塗布体１ｂへの内容物の含浸を停止するには弾性部材３ｃの反発力でもってスライダー３ｂを初期位置に復帰させるように容器本体２に負荷した押圧力を取り除く。
【００１５】
図３は本発明にしたがう塗布容器の他の実施の形態を示したものであり、この例は、ベース３ｂの環状体の内側にスライダー３ｄの中心に位置するロッドを嵌合させてその相互間にてシールした構造のものである。
【００１６】
前記ロッドは、その基部がスライダー３ｄの容器本体２の口部２ｂに接続される部位内壁に対し複数の脚部を介して一体的に連結されており、当該脚部間を内容物の流通路とする構造となっている。
【００１７】
ベース３ｂの環状体の内壁及びスライダー３ｄのロッドの外壁にはそれぞれ容器本体１の長手方向に沿う溝６ａ、６ｂが設けられ、この溝６ａ、６ｂが連通路４を構成しており、容器本体２の押圧にてスライダー３ｄを摺動させることで図４に示すように溝６ａ、６ｂを相互に開通させて容器内の内容物を塗布体１ｂに向けて流出させる。
【００１８】
なお、前記したシール構造は、当該溝部６ａ、６ｂをベース３ｂの環状体内壁後端部及びスライダー３ｄのロッド先端まで形成しておくものではなく、使用前（あるいは流通時）において当該部位の溝部未形成位置を密に接触させてシールする。また、溝部６ａ、６ｂは少なくとも相互に関係する位置に一本以上形成されていれば良く、さらには、当該溝部に換えて、ベース３ｂの環状体内壁及びスライダー３ｄのロッド外壁のシール部位を除く全面を、シール部に対して凹状に形成した構造とすることも可能である。
【００１９】
本発明したがう塗布容器は、弁体３が３パーツにて構成された構造の簡素化されたものであり、しかも、この弁体３を開閉するのみで容器本体２内の内容物を必要に応じて適量注出することが可能であり、さらにはカバー体１により容器本体２が不用意に押圧されることも防止することができ、スクイズタイプのような容器によって生じる内容物の不用意な漏れはない。
【００２０】
塗布体１ｂについては、筆状のものを例として説明したが、内容物を含浸させるタイプであればスポンジ状のものやフェルト、あるいは焼結体などを適用してもよい。
【００２１】
また、弁体３のシール構造については２種類の例を掲げたが、スライダー３ｄをベース３ｂにおいて摺動させて開閉させるものであれば適宜変更し得るものであり、この点についてもとくに限定されることはない。
【産業上の利用可能性】
【００２２】
粘度の比較的低い内容物、とくに浸透性の高い液体などを簡単な操作で適量取り出して塗布できる容器が提供できる。
【図面の簡単な説明】
【００２３】
【図１】本発明にしたがう塗布容器の実施の形態を示した図である。
【図２】図１に示した容器の使用状態を示した図である。
【図３】本発明にしたがう塗布容器の他の実施の形態を示した図である。
【図４】図３に示した容器の要部拡大図である。
【符号の説明】
【００２４】
１  カバー体
１ａ  ストッパー
１ｂ  塗布体
１ｃ  開口
２  容器本体
２ａ  口部
３  弁体
３ａ  通路
３ｂ  ベース
３ｃ  弾性部材
３ｄ  スライダー
４  連通路
５  キャップ
６ａ  溝
６ｂ  溝
ｔ  収納空間
【図１】
2005335748.tif 000003
【図２】
2005335748.tif 000004
【図３】
2005335748.tif 000005
【図４】
2005335748.tif 000006